(57)【要約】 【課題】  人手を要することがなく、養殖魚が産卵したことを簡単に確認することができる魚卵捕集具を提供する。【解決手段】  魚卵捕集具１は、一端部２と他端部３とに開口部４，５が形成されて一端部２から他端部３に向って収束し、水を通過させかつ魚卵を通過させない素材からなり水中で浮遊する魚卵を捕集する捕集部材６と、一端部に魚卵が通過する通過孔８が形成され、捕集部材６の他端部３に形成される開口部５に通過孔８を連通させるようにして捕集部材６に装着され、捕集部材６によって捕集される魚卵を収容する収容容器９と、収容容器９に装着されて水に対して浮力を有する浮き部材１０とを含む。この魚卵捕集具１は、生け簀中で養殖魚が産卵した卵と同様に潮風にのって浮遊し、産卵された魚卵を捕集する。【選択図】      図１
2006109753.tif 000002
【特許請求の範囲】
【請求項１】
魚が水中で産卵した卵を捕集する魚卵捕集具において、
一方の端部と他方の端部とに開口部が形成されて一方の端部から他方の端部に向って収束するように形成される捕集部材であって、水を通過させかつ魚卵を通過させないように形成されて水中で浮遊する魚卵を捕集する捕集部材と、
一方の端部に魚卵が通過する通過孔が形成され、捕集部材の他端部に形成される開口部に通過孔を連通させるようにして捕集部材に装着され、捕集部材によって捕集される魚卵を収容する収容容器と、
収容容器に装着され、水に対して浮力を有する浮き部材とを含むことを特徴とする魚卵捕集具。
【請求項２】
捕集部材は、
一方の端部側に錘部材が装着され、水中で一方の端部側を鉛直方向における下部側にして円錐形状に開く網であることを特徴とする請求項１記載の魚卵捕集具。
【請求項３】
網の目開きが、４００μｍ以上、１０００μｍ以下であることを特徴とする請求項２記載の魚卵捕集具。
【請求項４】
収容容器が、透明素材からなることを特徴とする請求項１〜３のいずれか１つに記載の魚卵捕集具。
【発明の詳細な説明】
【技術分野】
【０００１】
本発明は、たとえば養殖魚が産卵した卵を捕集する魚卵捕集具に関する。
【背景技術】
【０００２】
近年、天然資源保護があらゆる分野で提唱されており、海、川、湖沼資源に依存する漁業も、種々の魚について捕る漁業から栽培する漁業への転換である養殖が試みられている。養殖漁業の中でも採卵−受精−ふ化−稚魚−成魚の工程を経る完全養殖においては、いずれの工程も重要であるが、魚として育てるべき卵がなければ完全養殖は成立たないので、特に採卵工程は重要である。
【０００３】
採卵は、たとえば鮭のように親魚の腹中から取出することができる場合には比較的容易であるけれども、魚の種類によっては自然産卵した卵を収集しなければならないことも多い。親魚から自然産卵された卵は、産卵後迅速に捕集しないと、成魚に食べられる恐れがあり、また受精させた後のふ化率が低下する。
【０００４】
このような問題に対応する先行技術として、産卵された卵が成魚に食べられることを防止し、効率的に卵を捕集することのできる採卵用養魚水槽が提案される（特許文献１参照）。特許文献１では、水槽本体内に卵が通過可能で成魚が通過不可能な中仕切り板と、傾斜された底面の最下部近傍から外部へ延設されて集まった魚卵を外部へ取出し可能な採卵用通路とを設けることによって、成魚に食べられることの防止と効率的捕集とを実現している。
【０００５】
しかしながら、特許文献１は、水槽に収容可能な観賞用の小さな魚、たとえばゼブラフィッシュなどを対象としているので、生け簀のような広大な空間でなければ養殖できない、たとえばクロマグロなどの大きい魚に対して特許文献１のような採卵用養魚水槽を用いることは不可能である。クロマグロは常に高速で広大な水中空間を泳ぎ回るので、クロマグロを収容するためには、巨大な水槽が必要になる。このようなクロマグロを収容することができる程度の水槽を作製するとすれば、その設備費用が巨額になるので、クロマグロに対して採卵用養魚水槽を適用することは全く非現実的である。
【０００６】
生け簀のような広大な空間で養殖する魚を対象とする場合、まず海上に設けられる生け簀内における魚の行動、たとえば追尾行動、産卵行動などを、数時間掛けて目視観察し、また魚を網で掬い上げて魚体観察して産卵時期を推定することを併用し、産卵行動が認められたときに、卵を採集する作業を行っている。
【０００７】
魚の産卵は、夜間に行われることが多く、また人手を掛けて夜間に数時間もの目視観察を行っても、常に産卵行動が有る訳ではないので、多大な人的労力の浪費を強いられているのが実情である。したがって、人手を要することなく、養殖魚が産卵したことを簡単に確認できるようにすることが強く求められている。
【０００８】
【特許文献１】特開２００１−１２０１１０号公報
【発明の開示】
【発明が解決しようとする課題】
【０００９】
本発明の目的は、人手を要することがなく、養殖魚が産卵したことを簡単に確認することができる魚卵捕集具を提供することである。
【課題を解決するための手段】
【００１０】
本発明は、魚が水中で産卵した卵を捕集する魚卵捕集具において、
一方の端部と他方の端部とに開口部が形成されて一方の端部から他方の端部に向って収束するように形成される捕集部材であって、水を通過させかつ魚卵を通過させないように形成されて水中で浮遊する魚卵を捕集する捕集部材と、
一方の端部に魚卵が通過する通過孔が形成され、捕集部材の他端部に形成される開口部に通過孔を連通させるようにして捕集部材に装着され、捕集部材によって捕集される魚卵を収容する収容容器と、
収容容器に装着され、水に対して浮力を有する浮き部材とを含むことを特徴とする魚卵捕集具である。
【００１１】
また本発明は、捕集部材は、一方の端部側に錘部材が装着され、水中で一方の端部側を鉛直方向における下部側にして円錐形状に開く網であることを特徴とする。
【００１２】
また本発明は、網の目開きが、４００μｍ以上、１０００μｍ以下であることを特徴とする。
また本発明は、収容容器が、透明素材からなることを特徴とする。
【発明の効果】
【００１３】
本発明の魚卵捕集具によれば、魚によって水中に産卵されて浮遊する卵が、捕集部材によって捕集され、捕集部材の他端部の開口部を介して、浮き部材によって水面部に浮く収容容器に収容される。したがって、養殖魚の居る生け簀内に魚卵捕集具を投入しておき、予め定める時間経過後に、収容容器内における魚卵の有無を観察するだけで、魚による産卵行動の有無を簡単に判定することができるので、魚の行動を目視観察する労力を省くことが可能になる。
【００１４】
また本発明によれば、捕集部材は、一方の端部側に錘部材が装着され、水中で一方の端部側を鉛直方向における下部側にして円錐形状に開く網で構成されるので、たとえばクロマグロの卵のように品質の良いものは海水に浮くという性質を利用し、特別な装置を用いることなく、網の中に入った魚卵を、一方の端部側である円錐形状の底面側から、他方の端部側に装着されて浮き部材によって水面部に在る収容容器へと移動させることが可能になる。
【００１５】
また本発明によれば、網の目開きが、４００μｍ以上、１０００μｍ以下であるので、たとえばクロマグロの卵を確実に捕集することができる。
【００１６】
また本発明によれば、収容容器が透明素材からなるので、収容容器中に魚卵が捕集されているか否かを、収容容器を取外して見るまでもなく、簡単に判別することができる。
【発明を実施するための最良の形態】
【００１７】
図１は、本発明の実施の一形態である魚卵捕集具１の構成を簡略化して示す斜視図である。魚卵捕集具１は、一方の端部２と他方の端部３とに開口部４，５がそれぞれ形成されて一方の端部２から他方の端部３に向って収束するように形成される捕集部材６であって、水を通過させかつ魚卵７を通過させないように形成されて水中で浮遊する魚卵７を捕集する捕集部材６と、一方の端部に魚卵７が通過する通過孔８が形成され、捕集部材６の他端部３に形成される開口部５に通過孔８を連通させるようにして捕集部材６に装着され、捕集部材６によって捕集される魚卵７を収容する収容容器９と、収容容器９に装着され、水に対して浮力を有する浮き部材１０とを含む。
【００１８】
浮き部材１０は、本実施の形態ではリング形状を有するように形成される。浮き部材１０の素材は、水に対して浮力を有するものであればよく、特に限定されるものではないが、発泡ポリスチレンなどが好適に用いられる。リング形状を有する浮き部材１０の中央空隙部分に収容容器９が配置される。
【００１９】
収容容器９は、有底円筒形状を有し、底部の反対側に開口部が形成され、該開口部が通過孔８を構成する。収容容器９の素材は、透明であることが好ましく、透明であれば無色透明または有色透明のいずれであってもよい。収容容器９の素材としては、特に限定されるものではないが、たとえばポリエチレンテレフタレート、アクリル樹脂などが挙げられる。
【００２０】
収容容器９は、通過孔８が鉛直方向の下方に臨み、前述のように浮き部材１０の中央空隙部分に配置される。浮き部材１０は、装着部材１１によって収容容器９に装着される。本実施の形態では、装着部材１１は、ロープで構成される。ロープ１１によって浮き部材１０を捕縛し、その反対側の端を収容容器９に固着することによって、浮き部材１０が収容容器９に装着される。なお、装着部材１１であるロープは、複数箇所（本実施形態では４箇所）で浮き部材１０を収容容器９に装着する。
【００２１】
本実施形態において、捕集部材６は、一方の端部２側に錘部材１２が装着され、水中で一方の端部２側を鉛直方向における下部側にして円錐形状に開く網である。捕集部材６を構成する網は、特にその素材が限定されるものではないけれども、たとえばポリアミド系合成繊維からなるプランクトンネットなどが好適に用いられる。また網の目開きは、水を通過させて魚卵を通過させない条件が満たされれば良く、捕集する魚卵のサイズに応じて、適宜設定されて良い。ただし、捕集対象が、たとえばクロマグロの卵であるときには、クロマグロの卵のサイズがおおよそ１．０ｍｍであるので、目開きは４００μｍ以上、１０００μｍ以下であることが好ましい。
【００２２】
捕集部材６の一方の端部２の開口部４を形成する部分には、錘部材１２が装着される。本実施形態の錘部材１２は、リング状の形状を有するものが用いられる。錘部材１２は、比重が海水よりも大きく、水に浸漬された状態で良好な耐食性を有する素材、たとえばステンレス鋼が好適に用いられる。
【００２３】
捕集部材６を構成する網は、一端部２にリング状の錘部材１２が装着され、他端部３には浮き部材１０が装着された収容容器９が設けられるので、魚卵捕集具１が水中に投入されるとき、一端部２側を鉛直方向における下部側にして水中に垂下し、円錐形状、より厳密には円錐台形状に開いた状態になる。本実施形態の魚卵捕集具１では、水中に垂下させたときの捕集部材６の高さｈが約１ｍであり、捕集部材６の一端部２における開口部４の直径ｄが約６０ｃｍである。
【００２４】
このように構成される魚卵捕集具１を、たとえばクロマグロの卵を捕集するために生け簀の海中に投入すると、捕集具６が海水中に垂下して円錐形状に開き、魚卵捕集具１が、収容容器９を海面付近に保持した状態で浮き部材１０の浮力によって海水に浮遊する。海水に浮遊する魚卵捕集具１は、潮風および潮風によって海面近傍に生じる海水の流れにのって移動する。
【００２５】
一方生け簀中のクロマグロが産卵したとき、産卵された卵は、良質のものが海水に浮くので、浮上の途中で魚卵捕集具１と同じように潮風によって海面近傍に生じる海水の流れにのって移動する。魚卵捕集具１と産卵された卵とが、同一の挙動をするので、産卵された卵は、浮上の過程において魚卵捕集具１の捕集部材６の一端部２の開口部４で捕集され、捕集部材６中をさらに浮上して他端部３の開口部５および通過孔８を通過して収容容器９に収容される。
【００２６】
したがって、クロマグロの産卵時間、たとえば１７時〜２１時の時間帯に魚卵捕集具１を生け簀に投入しておき、所定時間経過後、透明素材からなる収容容器９の中に魚卵が視認されるか否かによって、クロマグロの産卵があったか否かを判定することができる。
【００２７】
このことによって、産卵を確認するために人手をさいて追尾行動、産卵行動などを目視観察する必要がなくなり、所定時間だけ魚卵捕集具１を生け簀中に投入しておき、その後収容容器９内の魚卵の有無を目視観察するという簡単かつ省力化された手段によって産卵確認することが可能になる。
【図面の簡単な説明】
【００２８】
【図１】本発明の実施の一形態である魚卵捕集具１の構成を簡略化して示す斜視図である。
【符号の説明】
【００２９】
１  魚卵捕集具
２  一方の端部
３  他方の端部
４，５  開口部
６  捕集部材
７  魚卵
８  通過孔
９  収容容器
１０  浮き部材
１１  装着部材
１２  錘部材
【図１】
2006109753.tif 000003